(57)【特許請求の範囲】
【請求項１】
原稿を読み取って得た画像を所定のスキャナから受信して保存する保存部と、
所定の端末からの閲覧要求に応じて前記画像に基づく仮画像を前記端末に送信して表示させ、前記画像を購入するか否かの応答を受ける表示制御部と、
前記画像を購入する応答を受けた場合に、前記端末に前記画像の保存を許可する許可部と、
前記許可した場合に料金を徴収する決済部と、
前記端末の画像の表示に関する能力を取得する取得部と、
前記端末から前記スキャナによる原稿の読み取り要求を受けた場合に、前記取得部が取得した前記能力に応じた解像度で前記原稿を読み取るよう前記スキャナに指示する読取指示部と、
を有し、
前記保存部は、前記指示に従って前記原稿を読み取って得た画像を前記スキャナから受信して保存する
ことを特徴とする画像管理装置。
【請求項２】
前記読取指示部は、原稿を異なる複数の読み取り条件で読み取るように前記スキャナに指示する
ことを特徴とする請求項１に記載の画像管理装置。
【請求項３】
前記複数の読み取り条件は、読み取り解像度を前記スキャナが有する最高解像度にした読み取り条件と、読み取り解像度を前記取得部が取得した前記端末の前記能力に応じた解像度にした読み取り条件とを含む、
ことを特徴とする請求項２に記載の画像管理装置。
【請求項４】
前記端末の画像の表示に関する能力を取得する取得部を備え、
前記表示制御部は、前記画像を、前記取得部が取得した能力に応じた形式に変換して前記仮画像を生成する
ことを特徴とする請求項１乃至３のいずれか１つに記載の画像管理装置。
【請求項５】
原稿を読み取って得た画像を所定のスキャナから受信して保存する保存部と、
所定の端末からの閲覧要求に応じて前記画像に基づく仮画像を前記端末に送信して表示させ、前記画像を購入するか否かの応答を受ける表示制御部と、
前記画像を購入する応答を受けた場合に、前記端末に前記画像の保存を許可する許可部と、
前記許可した場合に料金を徴収する決済部と、
前記端末の画像の表示に関する能力を取得する取得部と、
を備え、
前記表示制御部は、前記画像を、前記取得部が取得した能力に応じた形式に変換して前記仮画像を生成する
ことを特徴とする画像管理装置。
【請求項６】
前記保存部は、複数の画像を２以上の異なるスキャナから受信して保存し、
前記表示制御部は、前記閲覧要求に応じて複数の画像のそれぞれに対応する仮画像を前記端末に送信して表示させ、前記複数の画像のそれぞれについて購入するか否かの応答を受ける、
ことを特徴とする請求項１乃至５のいずれか１つに記載の画像管理装置。
【請求項７】
原稿を読み取って得た画像を所定のスキャナから受信して保存する保存部と、
所定の端末からの閲覧要求に応じて前記画像に基づく仮画像を前記端末に送信して表示させ、前記画像を購入するか否かの応答を受ける表示制御部と、
前記画像を購入する応答を受けた場合に、前記端末に前記画像の保存を許可する許可部と、
前記許可した場合に料金を徴収する決済部と、
を有し、
前記保存部は、複数の画像を２以上の異なるスキャナから受信して保存し、
前記表示制御部は、前記閲覧要求に応じて複数の画像のそれぞれに対応する仮画像を前記端末に送信して表示させ、前記複数の画像のそれぞれについて購入するか否かの応答を受ける、
ことを特徴とする画像管理装置。
【請求項８】
前記表示制御部は、前記画像の一部を抽出して、または前記画像に第２画像を重畳して、前記仮画像を生成する
ことを特徴とする請求項１乃至７のいずれか１つに記載の画像管理装置。
【請求項９】
前記保存部は、前記画像を保存してから所定期間の経過前に前記画像を購入する応答を受けない場合は、前記画像を削除する
ことを特徴とする請求項１乃至８のいずれか１つに記載の画像管理装置。
【請求項１０】
前記決済部は、前記スキャナと前記端末との間のＮＦＣ機能を利用して、前記徴収する
ことを特徴とする請求項１乃至９のいずれか１つに記載の画像管理装置。
【請求項１１】
請求項１乃至１０のいずれか１つに記載の画像管理装置と前記スキャナとを有する
ことを特徴とする画像読取システム。
【請求項１２】
請求項１乃至１０のいずれか１つに記載の画像管理装置を有する
ことを特徴とするスキャナ。
【発明の詳細な説明】
【技術分野】
【０００１】
本発明は、スキャナが読み取った画像を、有料で取得可能にする画像管理装置、画像読取システム、スキャナに関する。
【背景技術】
【０００２】
たとえば、コンビニエンスストア等に設置されているスキャナ機能を備えたＭＦＰ（Multifunction Peripheral）では、有料で、スキャンした画像（スキャン画像）をＵＳＢ（Universal Serial Bus）メモリに保存したり、Ｅメールで送信したりする機能を備えている。課金のタイミングとしては、スキャンを実行する度に課金したり、一定期間中にスキャンした数を記憶しておき後日まとめて請求したりするなどが一般となっている。
【０００３】
スキャンが実行された後、すなわちスキャン画像が生成された後に課金を行う技術としては、たとえば、特許文献１および特許文献２に記載の方法がある。
【０００４】
特許文献１には、一定期間内に出力したスキャン画像の出力数を記憶しておき、後にそれらの分の料金をまとめて請求する際に、トータルの出力枚数により料金を割り引くことによって、ユーザが納得できる課金結果を得る技術が記載されている。
【０００５】
また特許文献２には、ＭＦＰがスキャンして得たスキャン画像を加工し、その加工後のスキャン画像を有料で取得することができる技術が記載されている。
【先行技術文献】
【特許文献】
【０００６】
【特許文献１】特開２００２−１３２９６９号公報
【特許文献２】特開２００６−０９４１７６号公報
【発明の概要】
【発明が解決しようとする課題】
【０００７】
ところで、近年はスマートフォンやタブレット端末が急速に普及しており、ユーザが、前述のスキャン画像をそれらの端末で表示させ、閲覧することがある。
【０００８】
ところが、ＭＦＰがスキャンして得たスキャン画像を、前述のスマートフォン、タブレット端末上で閲覧する場合、端末でスキャン画像を表示させるまで、そのスキャン画像が所望の画質・ファイル形式か否かを判断することができない。
【０００９】
たとえば、スキャン画像の画質がユーザの所望するものであるか否かは、端末で実際に表示しなければわからない場合が多い。また、ファイル形式を意識しないライトユーザがスキャン画像を取得した場合、そのスキャン画像が端末にて表示不可能だったという事態が発生する可能性がある。
【００１０】
そのため、所望ではない画質・ファイル形式のスキャン画像に対しても課金されてしまうという問題がある。なお、特許文献１、２に記載の方法は、いずれもスキャンが行われた後で課金を行うものであるが、前述の問題に対応していない。
【００１１】
本発明は、上記の問題を解決しようとするものであり、ユーザが、望まぬスキャン画像への課金を回避することができる画像管理装置、画像読取システム、スキャナを提供することを目的としている。
【課題を解決するための手段】
【００１２】
かかる目的を達成するための本発明の要旨とするところは、次の各項の発明に存する。
【００１３】
［１］原稿を読み取って得た画像を所定のスキャナから受信して保存する保存部と、
所定の端末からの閲覧要求に応じて前記画像に基づく仮画像を前記端末に送信して表示させ、前記画像を購入するか否かの応答を受ける表示制御部と、
前記画像を購入する応答を受けた場合に、前記端末に前記画像の保存を許可する許可部と、
前記許可した場合に料金を徴収する決済部と、
前記端末の画像の表示に関する能力を取得する取得部と、
前記端末から前記スキャナによる原稿の読み取り要求を受けた場合に、前記取得部が取得した前記能力に応じた解像度で前記原稿を読み取るよう前記スキャナに指示する読取指示部と、
を有し、
前記保存部は、前記指示に従って前記原稿を読み取って得た画像を前記スキャナから受信して保存する
ことを特徴とする画像管理装置。
【００１４】
上記発明では、端末から閲覧要求を受けた場合に、該閲覧要求の対象となる画像に基づいて仮画像を生成し、端末に送信して表示させ、該画像を購入するか否かの応答を受ける。そして、画像を購入する応答を受けた場合に、端末に該画像の保存を許可するとともに料金を徴収する。端末にて仮画像を表示させることで、ユーザは、該仮画像に対応する画像が、ユーザの望むものであるか否かを（解像度やファイル形式など）購入前に判断することができ、よって、望まぬ画像への課金を回避することができる。
【００１６】
上記発明では、端末の画像の表示に関する能力を取得し、その端末から原稿の読み取り要求に応じて、取得した能力に応じた解像度で原稿を読み取るようスキャナに指示する。画像の表示に関する能力とは、たとえば、対応する解像度や、画像のファイル形式などである。これにより、スキャナから取得する画像は、必ず端末にて表示可能なものとなる。
【００１７】
［２］前記読取指示部は、原稿を異なる複数の読み取り条件で読み取るように前記スキャナに指示する
ことを特徴とする［１］に記載の画像管理装置。
【００１８】
上記発明では、異なる複数の読み取り条件で読み取るようにスキャナに指示する。この指示を受けたスキャナは、同じ原稿から、たとえば解像度や、ファイル形式が異なる画像を得る。
【００１９】
［３］前記複数の読み取り条件は、読み取り解像度を前記スキャナが有する最高解像度にした読み取り条件と、読み取り解像度を前記取得部が取得した前記端末の前記能力に応じた解像度にした読み取り条件とを含む、
ことを特徴とする［２］に記載の画像管理装置。
【００２０】
上記発明では、スキャナに、読み取り解像度をスキャナが有する最高解像度にした読み取り条件と、読み取り解像度を端末の能力に応じた解像度にした読み取り条件とを含む複数の読み取り条件で原稿の読み取りを行わせる。これにより、最高解像度の画像と、端末の能力に応じた解像度の画像の双方を得る。最高解像度の画像も用意することで、たとえば、前述の端末よりも高い解像度で画像を表示可能な他の端末に対応することができる。
【００２１】
［４］前記端末の画像の表示に関する能力を取得する取得部を備え、
前記表示制御部は、前記画像を、前記取得部が取得した能力に応じた形式に変換して前記仮画像を生成する
ことを特徴とする［１］乃至［３］のいずれか１つに記載の画像管理装置。
［５］原稿を読み取って得た画像を所定のスキャナから受信して保存する保存部と、
所定の端末からの閲覧要求に応じて前記画像に基づく仮画像を前記端末に送信して表示させ、前記画像を購入するか否かの応答を受ける表示制御部と、
前記画像を購入する応答を受けた場合に、前記端末に前記画像の保存を許可する許可部と、
前記許可した場合に料金を徴収する決済部と、
前記端末の画像の表示に関する能力を取得する取得部と、
を備え、
前記表示制御部は、前記画像を、前記取得部が取得した能力に応じた形式に変換して前記仮画像を生成する
ことを特徴とする画像管理装置。
【００２２】
上記［４］［５］に記載の発明では、端末の画像の表示に関する能力を取得し、閲覧要求の対象となる画像を、取得した能力に応じた形式に変換して、仮画像を生成する。これにより、仮画像は、必ず端末にて表示可能な形式のものとなる。
［６］前記保存部は、複数の画像を２以上の異なるスキャナから受信して保存し、
前記表示制御部は、前記閲覧要求に応じて複数の画像のそれぞれに対応する仮画像を前記端末に送信して表示させ、前記複数の画像のそれぞれについて購入するか否かの応答を受ける、
ことを特徴とする［１］乃至［５］のいずれか１つに記載の画像管理装置。
［７］原稿を読み取って得た画像を所定のスキャナから受信して保存する保存部と、
所定の端末からの閲覧要求に応じて前記画像に基づく仮画像を前記端末に送信して表示させ、前記画像を購入するか否かの応答を受ける表示制御部と、
前記画像を購入する応答を受けた場合に、前記端末に前記画像の保存を許可する許可部と、
前記許可した場合に料金を徴収する決済部と、
を有し、
前記保存部は、複数の画像を２以上の異なるスキャナから受信して保存し、
前記表示制御部は、前記閲覧要求に応じて複数の画像のそれぞれに対応する仮画像を前記端末に送信して表示させ、前記複数の画像のそれぞれについて購入するか否かの応答を受ける、
ことを特徴とする画像管理装置。
上記［６］［７］に記載の発明では、複数の画像のそれぞれに対応する仮画像を端末に送信して表示させ、その複数の画像のそれぞれについて購入するか否かの応答を受ける。複数の画像それぞれについて購入するか否かの応答を一度にまとめて行うことができるので、各画像について個別に購入するか否かの応答を行う場合に比べてユーザの手間を省くことができる。
また上記［６］［７］に記載の発明では、異なるスキャナで原稿を読み取って得た画像を受信して保存する。たとえば、同じ原稿を読み取らせれば、各スキャナで読み取った画像ごとに出来栄えを比較することができる。また、異なる原稿を読み取らせる場合は、並行して読み取りを行わせれば読み取りにかかる時間を短縮することもできる。
【００２３】
［８］前記表示制御部は、前記画像の一部を抽出して、または前記画像に第２画像を重畳して、前記仮画像を生成する
ことを特徴とする［１］乃至［７］のいずれか１つに記載の画像管理装置。
【００２４】
上記発明では、仮画像は、画像の一部を抽出して、または画像に第２画像を重畳して生成される。表示内容の一部を変更することで、課金逃れを防止する効果を高めることができる。
【００２５】
［９］前記保存部は、前記画像を保存してから所定期間の経過前に前記画像を購入する応答を受けない場合は、前記画像を削除する
ことを特徴とする［１］乃至［８］のいずれか１つに記載の画像管理装置。
【００２６】
上記発明では、画像を保存してから所定期間の経過前に該画像を購入する応答を受けない場合は、該画像を削除する。不要な画像が削除されることで記憶領域が確保される。
【００２７】
［１０］前記決済部は、前記スキャナと前記端末との間のＮＦＣ機能を利用して、前記徴収する
ことを特徴とする［１］乃至［９］のいずれか１つに記載の画像管理装置。
【００３２】
［１１］［１］乃至［１０］のいずれか１つに記載の画像管理装置と前記スキャナとを有する
ことを特徴とする画像読取システム。
【００３３】
［１２］［１］乃至［１０］のいずれか１つに記載の画像管理装置を有する
ことを特徴とするスキャナ。
【発明の効果】
【００３４】
本発明に係る画像管理装置、画像読取システム、スキャナによれば、ユーザが望まぬスキャン画像に対して課金してしまうことを防止することができる。
【図面の簡単な説明】
【００３５】
【図１】本発明の実施の形態に係る画像管理システムを示す図である。
【図２】画像読取装置の概略構成を示すブロック図である。
【図３】携帯端末の概略構成を示すブロック図である。
【図４】管理サーバの概略構成を示すブロック図である。
【図５】管理サーバの機能構成を示すブロック図である。
【図６】スキャンＩＤの発行要求を出す場合、および発行された場合に携帯端末が表示する画面を示す図である。
【図７】携帯端末から取得した能力と、スキャンＩＤ、保存先を紐付けて登録した能力管理テーブルを示す図である。
【図８】読み取り要求を受けた画像読取装置１０が表示する画面を示す図である。
【図９】画像読取装置が原稿をスキャンして得たスキャン画像を管理サーバに送信する様子を示す図である。
【図１０】閲覧要求に応じて管理サーバが、スキャン画像に基づいて生成した仮画像を携帯端末に送信する様子を示す図である。
【図１１】携帯端末で仮画像を表示するためのプレビュー画面を示す図である。
【図１２】スキャン画像に所定の画像を重畳して生成した仮画像を表示した場合のプレビュー画面を示す図である。
【図１３】異なるファイル形式の２つのスキャン画像それぞれから生成した仮画像を携帯端末に送信する様子を示す図である。
【図１４】異なる画像読取装置にて読み取った２つのスキャン画像それぞれから生成した仮画像を携帯端末に送信する様子を示す図である。
【図１５】複数の仮画像から、購入するスキャン画像に対応するものを選択する様子を示す図である。
【図１６】複数ページ分の原稿それぞれの仮画像から、購入するスキャン画像に対応するものを選択する様子を示す図である。
【図１７】携帯端末が表示する、決済を行うための画面と決済が完了した画面を示す図である。
【図１８】電子マネーで決済を行う場合に携帯端末が表示する、決済の方法を提示する画面を示す図である。
【図１９】保存されてから、購入応答を受けずに所定期間が経過した場合に、スキャン画像を削除する様子を示す図である。
【図２０】携帯端末以外の他の端末でも、スキャン画像の保存を許可するか否かを選択する画面を示す図である。
【図２１】携帯端末と、他の端末にスキャン画像を送信する場合を示す図である。
【図２２】携帯端末がスキャンＩＤの発行要求を管理サーバに送信する処理を示す流れ図である。
【図２３】スキャンＩＤの発行要求を受けた管理サーバが行う処理を示す流れ図である。
【図２４】スキャンＩＤの入力を受けた画像読取装置が行う処理を示す流れ図である。
【図２５】管理サーバが行う、スキャン画像を保存するまでの処理を示す流れ図である。
【図２６】管理サーバが行う、閲覧要求を受けてから決済が完了するまでの処理を示す流れ図である。
【図２７】携帯端末が行う、閲覧要求を送信してから仮画像を表示するまでの処理を示す流れ図である。
【図２８】携帯端末が行う、決済が完了するまでの処理を示す流れ図である。
【発明を実施するための形態】
【００３６】
以下、図面に基づき本発明の実施の形態を説明する。
【００３７】
図１は、本発明の実施の形態に係る画像管理システム７を示す。画像管理システム７は、ＬＡＮ（Local Area Network）３などのネットワークを通じて、本発明の画像管理装置としての役割を果たす管理サーバ７０と、スキャナとしての役割を果たす複数台の画像読取装置１０（１０Ａ、１０Ｂ）、および携帯端末４０とを通信可能に接続して構成される。以後、画像読取装置１０Ａ、１０Ｂを総称する、もしくは任意の１台を指す場合は、画像読取装置１０と記すものとする。
【００３８】
画像読取装置１０は、原稿を光学的に読み取ってその複製画像を記録紙に印刷するコピージョブ、読み取った原稿の画像データをファイル（スキャン画像）にして保存したり管理サーバ７０等の外部装置へ送信したりするスキャンジョブ、外部装置から送出されたデータに係る画像を記録紙に印刷して出力するプリントジョブ（印刷ジョブ）などのジョブを実行する機能を備えた、所謂、複合機である。
【００３９】
管理サーバ７０は、携帯端末４０に使用者が画像読取装置１０に読み取られた原稿の画像（スキャン画像）に対する課金を管理する。
【００４０】
携帯端末４０は、持ち歩きが可能な、スマートフォンや、タブレット端末などの端末である。携帯端末４０は、表示部５１と操作部５２を含む操作表示部５０を備えている（図３参照）。
【００４１】
本発明の実施の形態では、画像読取装置１０は、携帯端末４０の使用者から指示された原稿を読み取って、そのスキャン画像を管理サーバ７０に送信する。管理サーバ７０は、画像読取装置１０から受信したスキャン画像を保存する。
【００４２】
その後、管理サーバ７０は、携帯端末４０から閲覧要求を受けた場合に、該閲覧要求の対象となるスキャン画像をプレビューするための仮画像を生成して携帯端末４０に送信して表示させる。そして、携帯端末４０からそのスキャン画像を購入するか否かの応答を受け、スキャン画像を購入する応答を受けた場合に、携帯端末４０に該スキャン画像の保存を許可するとともに料金を徴収する。
【００４３】
管理サーバ７０は、携帯端末４０の画面の表示に関する能力（解像度や表示可能なファイル形式等）を取得し、画像読取装置１０は、該能力に応じた読み取り条件（解像度等）で原稿を読み取る。管理サーバ７０は、携帯端末４０の上記能力に応じた解像度やファイル形式で仮画像を作成する。
【００４４】
画像管理システム７では、携帯端末４０にて仮画像を表示させることで、ユーザは、該仮画像に対応するスキャン画像がユーザの望むものであるか否かを、解像度やファイル形式が携帯端末４０に適合したものであるか否かを含めて、購入前に判断することができる。これにより、ユーザが望まぬスキャン画像への課金を回避することができる。
【００４５】
次に、本発明の実施の形態に係る画像読取装置１０の構成について説明する。
【００４６】
図２は、本発明の実施の形態に係る画像読取装置１０の概略構成を示すブロック図である。画像読取装置１０は、当該画像読取装置１０の動作を統括的に制御するＣＰＵ(Central Processing Unit)１１を有している。ＣＰＵ１１にはバスを通じてＲＯＭ（Read Only Memory）１２と、ＲＡＭ（Random Access Memory）１３と、不揮発メモリ１４と、ハードディスク装置１５と、画像処理部１６と、画像読取部１７と、プリンタ部１８と、ファクシミリ通信部１９と、ネットワーク通信部２０と、操作パネル３０を備えている。
【００４７】
ＣＰＵ１１は、ＯＳ（Operating System）プログラムをベースとし、その上で、ミドルウェアやアプリケーションプログラムなどを実行する。
【００４８】
ＲＯＭ１２には、画像読取装置１０を起動させるためのプログラムが格納されており、これらのプログラムに従って起動した後は、ハードディスク装置１５に格納されているプログラムをＲＡＭ１３にロードし、そのロードされたプログラムに従ってＣＰＵ１１が各種処理を実行することで画像読取装置１０の各機能が実現される。
【００４９】
ＲＡＭ１３は、ＣＰＵ１１がプログラムに基づいて処理を実行する際に各種のデータを一時的に格納するワークメモリとして使用される。
【００５０】
不揮発メモリ１４は、電源をオフにしても記憶内容が破壊されないメモリ（フラッシュメモリ）であり、各種設定情報の保存などに使用される。
【００５１】
ハードディスク装置１５は、大容量の不揮発の記憶装置であり、ＯＳプログラムや各種アプリケーションプログラム、各種のジョブ履歴等が保存される。また、ハードディスク装置１５には、画像読取装置１０の一連の制御をＣＰＵ１１が実行するためのプログラムが格納されている。なお、ハードディスク装置１５は、ＳＳＤ（Solid State Drive）等の他の記憶媒体であってもよい。
【００５２】
画像処理部１６は、画像の拡大縮小、回転などの処理のほか、印刷データをイメージデータに変換するラスタライズ処理、画像データの圧縮、伸張処理などを行う。
【００５３】
画像読取部１７は、原稿を光学的に読み取って画像データ（スキャン画像）を取得する機能を果たす。画像読取部１７は、例えば、原稿に光を照射する光源と、その反射光を受けて原稿を幅方向に１ライン分読み取るラインイメージセンサと、ライン単位の読み取り位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００５４】
プリンタ部１８は、画像データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。画像形成は他の方式でもかまわない。
【００５５】
ファクシミリ通信部１９は、ファクシミリ（ＦＡＸ（facsimile））機能を備えた外部装置と公衆回線を通じて画像データを送受信する機能を果たす。
【００５６】
ネットワーク通信部２０は、ＬＡＮなどのネットワークを通じて管理サーバ７０や、その他の外部装置との間でデータを通信する機能を果たす。本発明の実施の形態では、ネットワーク通信部２０が、管理サーバ７０と通信を行い、スキャンして得たスキャン画像を管理サーバ７０に送信する。
【００５７】
操作パネル３０は、表示部３１と、操作部３２と、決済用センサ３５を備えている。操作部３２は、スタートボタンや戻る釦などのスイッチ部３３とタッチパネル部３４とを備えている。表示部３１は、液晶ディスプレイ（ＬＣＤ…Liquid Crystal Display）などで構成され、各種の操作画面、設定画面などを表示する機能を果たす。本実施の形態では、操作パネル３０が表示する表示内容の制御、操作パネル３０による操作の受け付けに関する制御はＣＰＵ１１が行うものとする。
【００５８】
タッチパネル部３４は、表示部３１上に設けられている。タッチパネル部３４は、タッチペンや指などで押下された表示部３１上のタッチ位置（座標位置）を検出する。ＣＰＵ１１は、継続的に検出されるタッチ位置の変化（操作情報）から、フリック操作やドラッグ操作などを認識する。
【００５９】
決済用センサ３５はＮＦＣ（Near Field Communication）機能を利用するための機構である。本発明の実施の形態では、決済用センサ３５は操作表示部５０の表面に設置されており（図１８参照）、スキャン画像の購入を行う場合に、携帯端末４０を決済用センサ３５にかざすことで、電子マネーでの決済が可能となっている。
【００６０】
次に、本発明の実施の形態に係る携帯端末４０の構成について説明する。
【００６１】
図３は、本発明の実施の形態に係る携帯端末４０の概略構成を示すブロック図である。携帯端末４０は、携帯端末４０の動作を統括的に制御するＣＰＵ４１を有している。ＣＰＵ４１にはバスを通じてＲＯＭ４２と、ＲＡＭ４３と、不揮発メモリ４４と、ハードディスク装置４５と、ネットワーク通信部４６と、決済用センサ４７と、操作表示部５０が接続されて構成されている。
【００６２】
ＣＰＵ４１は、ＯＳプログラムをベースとし、その上で、ミドルウェアやアプリケーションプログラムなどを実行する。また、表示部５１に表示する表示内容を制御する。
【００６３】
ＲＯＭ４２には、各種のプログラムが格納されており、これらのプログラムに従ってＣＰＵ４１が各種処理を実行することで携帯端末４０の各機能が実現される。また、ＲＯＭ４２には、携帯端末４０の一連の制御をＣＰＵ４１が実行するためのプログラムが格納されている。
【００６４】
ＲＡＭ４３は、ＣＰＵ４１がプログラムに基づいて処理を実行する際に各種のデータを一時的に格納するワークメモリや画像データを格納する画像メモリなどとして使用される。
【００６５】
不揮発メモリ４４は、電源をオフにしても記憶内容が破壊されないメモリ（フラッシュメモリ）であり、各種設定情報の保存などに使用される。
【００６６】
ハードディスク装置４５は、大容量の不揮発の記憶装置であり、ＯＳプログラムや各種アプリケーションプログラム、ユーザ情報、画像データなどのデータファイルなどが保存される。本発明の実施の形態では、管理サーバ７０と通信して、後述するスキャンＩＤを発行する要求を管理サーバ７０に送信したり、管理サーバ７０から受信した仮画像を表示したり、スキャン画像を購入するか否かの応答を行うための専用のアプリケーションが予めハードディスク装置４５にインストールされているものとする。
【００６７】
ネットワーク通信部４６は、ＬＡＮなどのネットワークを通じて、管理サーバ７０などの外部装置との間でデータを通信する機能を果たす。
【００６８】
決済用センサ４７は、ＮＦＣ機能を利用するための機構である。
【００６９】
操作表示部５０は、表示部５１と、操作部５２を備えている。操作部５２は、スタートボタンや戻る釦などのスイッチ部５３とタッチパネル部５４とを備えている。表示部５１は、液晶ディスプレイなどで構成され、各種の操作画面、設定画面などを表示する機能を果たす。本実施の形態では、操作表示部５０が表示する表示内容の制御、操作表示部５０による操作の受け付けに関する制御はＣＰＵ４１が行うものとする。
【００７０】
タッチパネル部５４は、表示部５１上に設けられている。タッチパネル部５４は、タッチペンや指などで押下された表示部５１上のタッチ位置（座標位置）を検出する。ＣＰＵ４１は、継続的に検出されるタッチ位置の変化（操作情報）から、フリック操作やドラッグ操作などを認識する。
【００７１】
次に、本発明の実施の形態に係る管理サーバ７０の構成について説明する。
【００７２】
図４は、本発明の実施の形態に係る管理サーバ７０の概略構成を示すブロック図である。管理サーバ７０は、管理サーバ７０の動作を統括的に制御するＣＰＵ７１を有している。ＣＰＵ７１にはバスを通じてＲＯＭ７２と、ＲＡＭ７３と、不揮発メモリ７４と、ハードディスク装置７５と、ネットワーク通信部７６と、決済部７７が接続されて構成されている。
【００７３】
ＣＰＵ７１は、ＯＳプログラムをベースとし、その上で、ミドルウェアやアプリケーションプログラムなどを実行する。ＲＯＭ７２には、各種のプログラムが格納されており、これらのプログラムに従ってＣＰＵ７１が各種処理を実行することで管理サーバ７０の各機能が実現される。また、ＲＯＭ７２には、管理サーバ７０の一連の制御をＣＰＵ７１が実行するためのプログラムが格納されている。
【００７４】
ＲＡＭ７３は、ＣＰＵ７１がプログラムに基づいて処理を実行する際に各種のデータを一時的に格納するワークメモリや画像データを格納する画像メモリなどとして使用される。
【００７５】
不揮発メモリ７４は、電源をオフにしても記憶内容が破壊されないメモリ（フラッシュメモリ）であり、各種設定情報の保存などに使用される。
【００７６】
ハードディスク装置７５は、大容量の不揮発の記憶装置であり、ＯＳプログラムや各種アプリケーションプログラム、ユーザ情報、画像データ（スキャン画像）などのデータファイルなどが保存される。
【００７７】
ネットワーク通信部７６は、ＬＡＮなどのネットワークを通じて、画像読取装置１０および携帯端末４０などの外部装置との間でデータを通信する機能を果たす。
【００７８】
決済部７７は、携帯端末４０にスキャン画像の保存を許可する場合に、料金を徴収する役割を果たす。料金の徴収方法としては、クレジットカード払いや銀行振り込みの他に、携帯端末４０と画像読取装置１０のＮＦＣ機能などを利用する方法がある。他の方法で料金を徴収してもよい。
【００７９】
図５は、管理サーバ７０の機能構成を示す。管理サーバ７０は、スキャン画像の管理に係る機能部として、保存部８１、表示制御部８２、許可部８３、決済部８４、読取指示部８５、取得部８６を有する。
【００８０】
保存部８１は、画像読取装置１０からスキャン画像を受信して保存する機能を果たす。
【００８１】
表示制御部８２は、携帯端末４０からスキャン画像の閲覧要求を受けた場合に、スキャン画像に基づく仮画像を生成し、携帯端末４０に送信して表示させる。また、仮画像の送信先の携帯端末４０からスキャン画像を購入するか否かの応答を受ける。
【００８２】
許可部８３は、スキャン画像を購入する応答を受けた場合に、携帯端末４０にスキャン画像の保存を許可する役割を果たす。
【００８３】
決済部８４は、許可部８３が、スキャン画像の保存を許可した場合に料金を徴収する役割を果たす。
【００８４】
取得部８６は、携帯端末４０での画像の表示に関する能力情報を取得する役割を果たす。取得する能力情報は、たとえば、解像度や表示可能なファイル形式等である。
【００８５】
読取指示部８５は、携帯端末４０から画像読取装置１０による原稿の読み取り要求を受けた場合に、取得部８６が取得した能力に応じた解像度で原稿を読み取るよう画像読取装置１０に指示する。なお、本発明の実施の形態では、読取指示部８５は、原稿を異なる複数の読み取り条件で読み取るように画像読取装置１０に指示する。
【００８６】
次に、画像形読取装置１０で原稿をスキャンして管理サーバ７０にスキャン画像が保存されるまでの流れについて説明する。
【００８７】
本発明の実施の形態では、まず、携帯端末４０が、スキャンＩＤの発行要求を管理サーバ７０に送信する。このとき、自端末の画像の表示に関する能力を示す能力情報も管理サーバ７０に送信する。管理サーバ７０は、スキャンＩＤの発行要求に応じてスキャンＩＤを発行すると共に、該スキャンＩＤと携帯端末４０の能力情報を対応付けて登録する。
【００８８】
ユーザは、画像読取装置１０にて、管理サーバ７０が発行したスキャンＩＤを入力し、原稿のスキャンを開始させる。このとき画像読取装置１０は、入力されたスキャンＩＤを管理サーバ７０に送信して、管理サーバ７０から携帯端末４０の能力情報を取得し、該能力情報に対応する読み取り条件（解像度等）で原稿を読み取る。画像読取装置１０は、該スキャンによって得たスキャン画像を、スキャンの開始前に入力されたスキャンＩＤと紐付けて管理サーバ７０に送信する。管理サーバ７０は、受信したスキャン画像とスキャンＩＤを紐付けて自装置に登録する。
【００８９】
図６は、スキャンＩＤの発行時に携帯端末４０に表示される画面を示している。同図の左の画面は、スキャンＩＤの発行を要求するＩＤ発行要求画面１００であり、同図の右の画面は、発行されたスキャンＩＤを通知するＩＤ発行済画面１０１である。
【００９０】
ユーザは、管理サーバ７０と通信を行うための専用のアプリケーションを立ち上げ、ＩＤ発行要求画面１００を表示部５１に表示させる。ＩＤ発行要求画面１００内のＩＤ発行ボタン９１が押下されたら、携帯端末４０は、管理サーバ７０にスキャンＩＤの発行要求を送信する。そして、管理サーバ７０から、新たに発行されたスキャンＩＤを受信したら、ＩＤ発行済画面１０１にそのスキャンＩＤを表示する。
【００９１】
スキャンＩＤの発行要求を受けた管理サーバ７０は、発行要求の送信元である携帯端末４０における、画面の表示に関する能力を示す能力情報を取得する。本発明の実施の形態では、該能力情報がスキャンＩＤの発行要求に含まれているものとする。
【００９２】
管理サーバ７０は、取得した能力情報と、新たに発行したスキャンＩＤを紐付けて保存する。
【００９３】
図７は、発行済みのスキャンＩＤと、該スキャンＩＤの発行要求を送信した携帯端末４０の画面の表示に関する能力情報が紐付けて保存された能力管理テーブル１１０の一例を示す。ここでは、スキャンＩＤ（ＩＤ情報）毎に、そのスキャンＩＤの発行要求を送信した端末の画面の表示に関する能力情報と、スキャン画像の保存場所の情報が対応付けて登録される。能力情報は、解像度と、画像データのファイル形式である。管理サーバ７０は、新たなスキャンＩＤを発行する際に、そのスキャンＩＤに紐付けされるスキャン画像の保存場所を決定する。保存場所はスキャンＩＤ毎に異なる。管理サーバ７０は、新たにスキャンＩＤを発行したら、そのスキャンＩＤを携帯端末４０に送信する。
【００９４】
画像読取装置１０は、スキャンの実行前にスキャンＩＤの入力を受けると、その入力されたスキャンＩＤに紐付けされている読み取り条件を管理サーバ７０から取得し、該取得した読み取り条件(管理サーバ７０から指示された読み取り条件)でスキャンを行う。読み取り条件は、たとえば、スキャンする際の読み取り解像度や、作成されるスキャン画像のファイル形式などの指定内容である。
【００９５】
図８は、画像読取装置１０にてスキャンＩＤの入力を受け付けるためのＩＤ入力画面１２０の一例を示す。ユーザは、ＩＤ入力画面１２０にて管理サーバ７０が発行したスキャンＩＤを入力する。そして、原稿がセットされていることを確認したら、操作パネル３０にてスキャンの開始操作を行う。なお、ＩＤ入力画面１２０の下部には、入力されたスキャンＩＤに対応付けて管理サーバ７０の能力管理テーブル１１０に登録されている保存場所の情報が表示される。
【００９６】
図９は、画像読取装置１０がスキャンして得たスキャン画像１５０を、スキャンの開始前に入力されたスキャンＩＤと紐付けて管理サーバ７０に送信する様子を示す。
【００９７】
画像読取装置１０は、スキャンＩＤが入力されたときに管理サーバ７０から取得した（指示された）読み取り条件でスキャンを行う。本発明の実施の形態では、画像読取装置１０は、管理サーバ７０から２つの読み取り条件を取得し、その２つの読み取り条件でスキャンを行う。２つの読み取り条件のうち１つは、携帯端末４０から取得した能力に応じた解像度（図中では３００×３００dpi）、および携帯端末４０で表示可能なファイル形式のうちの最適な形式（図中ではＰＤＦ）の読み取り条件である。もう１つは、画像読取装置１０が有する最高解像度、およびファイル形式がＲＡＷの読み取り条件である。
【００９８】
なお、携帯端末４０が表示可能なファイル形式のうちの最適なファイル形式は、たとえば、表示可能なファイル形式のうち圧縮率が最も高いファイル形式や、画質の劣化が最も少ないファイル形式などが該当する。
【００９９】
画像読取装置１０は、２つの読み取り条件で読み取って得たスキャン画像１５０を、スキャンＩＤに紐付けて管理サーバ７０に送信する。管理サーバ７０は、画像読取装置１０から受信したスキャン画像を、このスキャン画像に紐付けされているスキャンＩＤに対応付けて能力管理テーブル１１０に登録されている保存場所に保存する。
【０１００】
図１０は、管理サーバ７０が、携帯端末４０からの閲覧要求に応じて、スキャン画像１５０に基づいて作成した仮画像１５１を携帯端末４０に送信して表示させる様子を示す。まず、ユーザが、画像読取装置１０にてスキャン前に入力したスキャンＩＤを、携帯端末４０にて専用のアプリケーションが表示する画面で入力する。携帯端末４０は、スキャンＩＤの入力を受けたら、該スキャンＩＤに対応するスキャン画像の閲覧要求を管理サーバ７０に送信する。
【０１０１】
管理サーバ７０は、受信したスキャンＩＤに紐付けて保存されているスキャン画像に基づいて仮画像１５１を生成し、携帯端末４０に送信して表示させる。図１１は、携帯端末４０が仮画像１５１を表示するプレビュー画面１３０を示す。ユーザは仮画像１５１を参照して、仮画像１５１に対応するスキャン画像１５０を購入するか否かを判断する。携帯端末４０は、プレビュー画面１３０にて、確認ボタン９２が押下されたら、仮画像１５１に対応するスキャン画像１５０を購入するための決済を行う画面に進む。
【０１０２】
仮画像は、購入された場合に携帯端末４０での保存を許可するスキャン画像と同じ解像度、ファイル形式で生成される。本発明の実施の形態では、仮画像の解像度は、スキャン画像と同じく管理サーバ７０が携帯端末４０から取得した能力に応じた解像度となり、仮画像のファイル形式は、スキャン画像と同じく携帯端末４０で表示可能なファイル形式のうちの最適なファイル形式となる。
【０１０３】
仮画像は、購入された場合に携帯端末４０での保存を許可するスキャン画像と同じ解像度、ファイル形式となっているため、盗用防止のための対策を行うことが望ましい。よって、本発明の実施の形態では、仮画像は、スキャン画像の一部を抽出したり、スキャン画像に第２の画像を重畳したりして生成される。
【０１０４】
前述の抽出を行う場合は、たとえば、スキャン画像の中央部分（四隅を除いた部分）を抽出したりする。図１２は、仮画像１５１が、スキャン画像１５０に第２の画像（図中ではＳＡＭＰＬＥの文字）を重畳して生成された場合に携帯端末４０が表示するプレビュー画面１３１を示す。
【０１０５】
なお、図１１、図１２では、仮画像は縮小表示されている。携帯端末４０は、ユーザの操作に応じて仮画像を縮小しないで表示することができるものとする。仮画像を元のサイズで表示することで、携帯端末４０にて実際に使用する状態のサイズで仮画像を見て、スキャン画像を購入するか否かを決定することができる。
【０１０６】
図１１、図１２では、管理サーバ７０は、１つの仮画像のみを携帯端末４０に送信していたが、スキャン画像が複数ある場合は複数の仮画像を生成して携帯端末４０に送信して表示させてもよい。以下、複数の仮画像を送信する場合について複数の具体例を示す。
【０１０７】
（具体例１、複数種類のファイル形式の仮画像）
具体例１では、管理サーバ７０が、異なるファイル形式のスキャン画像に基づいて生成した複数の仮画像を携帯端末４０に送信する。図１３は、ファイル形式がＰＤＦのスキャン画像とファイル形式がＴＩＦＦのスキャン画像から作成された２つの仮画像（ファイル形式がＰＤＦの仮画像と、ファイル形式がＴＩＦＦの仮画像）を携帯端末４０に送信する様子を示す。なお、図１３にて管理サーバ７０が保持するＴＩＦＦのスキャン画像は、画像読取装置１０から取得したＲＡＷ形式のスキャン画像を変換して作成したものである。ユーザは、異なるファイル形式のスキャン画像の出来栄えを、仮画像を介して比較することができる。
【０１０８】
（具体例２、複数の装置で読み取ったスキャン画像の仮画像）
具体例２では、管理サーバ７０が、画像読取装置１０Ａと画像読取装置１０Ｂから得たスキャン画像を保存し、そのスキャン画像ごとに生成した仮画像を携帯端末４０に送信する。図１４は、画像読取装置１０Ａと画像読取装置１０Ｂから得たスキャン画像を保存し、そのスキャン画像ごとに作成した仮画像を携帯端末４０に送信する様子を示す。
【０１０９】
複数の画像読取装置１０を使用するシチュエーションとしては、たとえば、読み取り可能な最大解像度（ＲＡＷでの解像度）が異なる装置のそれぞれから取得したスキャン画像を、仮画像を通じて比較したりする場合や、読み取る原稿が大量にある場合に、複数台の装置を並行使用して読み取り時間を短縮する場合などが想定される。ユーザは、各装置でスキャンして得たスキャン画像の出来栄えを、仮画像を介して比較することができる。
【０１１０】
（具体例３、読み取った原稿が複数枚の場合）
具体例３では、画像読取装置１０が、スキャンする原稿が複数枚のものである場合に各ページに対応するスキャン画像を作成して管理サーバ７０へ送信し、管理サーバ７０は、そのスキャン画像ごとに生成した仮画像を携帯端末４０に送信する。たとえば、携帯端末４０に保存したいページを予め決めて、そのページのみスキャンするのではなく、全ての原稿をスキャンしてから携帯端末４０の画面でどのページのスキャン画像を保存するかを決定することができる。
【０１１１】
次に、仮画像を複数表示する場合に携帯端末４０が表示する画面について説明する。
【０１１２】
図１５は、具体例２において、画像読取装置１０Ａと画像読取装置１０Ｂにてスキャンして得たスキャン画像に対応する仮画像を表示するプレビュー画面１３２を示す。プレビュー画面１３２では、仮画像ごとに対応するスキャン画像が作成された装置名が表示される。ユーザは、仮画像を比較し、購入したいスキャン画像に対応する仮画像を選択したら、確認ボタン９２を押下して、決済を行うための画面に進める。
【０１１３】
図１６は、具体例３において、複数のスキャン画像のそれぞれに対応する仮画像を表示するプレビュー画面１３３を示す。ユーザは、複数の仮画像の中から、購入したいスキャン画像に対応する仮画像を選択したら、確認ボタン９２を押下して、決済を行うための画面に進める。
【０１１４】
このように、複数の仮画像を携帯端末４０に表示させる場合は、ユーザは、購入したいスキャン画像に対応する仮画像を選択して決済を行うための画面に進める。なお、図１５、図１６のように複数の仮画像を一度に画面に表示する場合は、単体の仮画像を表示する場合に比べて仮画像をさらに縮小して表示することになるので、前述の選択を行う前に、各仮画像を縮小しないで表示させて、スキャン画像を購入するか否かを決定することが望ましい。
【０１１５】
次に、スキャン画像を購入する場合の流れについて説明する。まず、決済を行うための画面にて、ユーザが購入内容を確認し、料金の支払い方法を選択する。その後、決済内容の決定操作を受けた携帯端末４０は、その決定した支払い方法と、スキャン画像を購入する旨の応答を管理サーバ７０に送信する。
【０１１６】
前述の応答を受けた管理サーバ７０は、決済部８４が、携帯端末４０にて選択された支払い方法にて、料金の徴収を行う。料金が徴収されたことを確認したら（決済が完了したら）、携帯端末４０にて選択された仮画像に対応するスキャン画像の保存を携帯端末４０に許可する。
【０１１７】
図１７は、決済を行うための画面である購入画面１３４と、決済が完了した後で表示される決済完了画面１３５を示す。
【０１１８】
ユーザは、購入画面１３４にて、購入内容（枚数と金額）を確認するとともに、料金の支払い方法を選択する。購入画面１３４では、クレジットカード払い、銀行振り込み、代金引換（コンビニエンスストア等の店舗での代金の支払い。）、電子マネーでの決済のうちのいずれかを選択することができる。図１７の購入画面１３４では、クレジットカード払いが選択されている。
【０１１９】
各支払い方法を利用する場合に必要な情報の入力は、予め行われていてもよいし、購入画面１３４にて選択されたときに、行ってもよい。
【０１２０】
ユーザは、購入内容を確認し、料金の支払い方法を選択したら、購入ボタン９３を押下して決済を行う。また、購入をキャンセルする場合はキャンセルボタン９４を押下する。
【０１２１】
携帯端末４０は、購入ボタン９３が押下されたら、選択されているスキャン画像を購入する応答と、選択されている支払い方法を管理サーバ７０に送信する。該応答を受けた管理サーバ７０は、決済が完了したら、決済が完了したことおよびスキャン画像の保存を許可する旨を携帯端末４０に通知する。
【０１２２】
前述の通知を受けた携帯端末４０は、決済完了画面１３５を表示する。決済完了画面１３５には、スキャン画像をダウンロードするためのリンクが貼られている。ユーザは、該リンクの指定箇所にアクセスすることでスキャン画像のダウンロードを行うことができる。さらに決済完了画面１３５では、購入したスキャン画像をダウンロード可能な期限が表示されている。管理サーバ７０は該期限を過ぎたら、その購入されたスキャン画像をハードディスク装置７５から消去する。
【０１２３】
購入画面１３４にて、支払い方法として電子マネーでの決済が選択された場合、スキャン画像を購入する応答を受けた管理サーバ７０は、画像読取装置１０にＮＦＣ機能を利用可能にする指示を送信するとともに、決済の方法を提示する決済方法提示画面１３６を携帯端末４０に表示させる。図１８は決済方法提示画面１３６の例を示す。携帯端末４０は、決済方法提示画面１３６を表示したら、自端末のＮＦＣ機能を利用可能な状態にする。また、前述の指示を受けた画像読取装置１０も、自装置のＮＦＣ機能を利用可能な状態にする。
【０１２４】
決済方法提示画面１３６では、画像読取装置１０の操作パネル３０上の決済用センサ３５に自端末をタッチさせて決済を完了させる指示が表示されている。決済用センサ３５に携帯端末４０がタッチされたら（かざしたら）、画像読取装置１０は料金を徴収した旨を管理サーバ７０に通知し、これを受けた管理サーバ７０は、決済が完了したと判断し、決済が完了したことおよびスキャン画像の保存を許可する旨を携帯端末４０に通知する。前述の通知を受けた携帯端末４０は、図１７の決済完了画面１３５を表示する。
【０１２５】
なお、管理サーバ７０は、スキャン画像を保存してから所定期間の経過前に、携帯端末４０から該スキャン画像を購入する応答を受けない場合は、そのスキャン画像をハードディスク装置７５から削除する。これにより、不要なスキャン画像は削除される。
【０１２６】
図１９は、携帯端末４０から購入する応答を受けずに、保存してから所定期間が経過したので、スキャン画像を削除する様子を示す。所定期間はたとえば、１週間など、管理サーバ７０の管理人が適宜設定すればよい。経過した場合に、もう購入されないであろうと判断可能な期間であることが望ましい。この期間は、たとえば、画像読取装置１０がスキャンを実行した際に、自装置の画面等に表示するなどによってユーザに通知される。
【０１２７】
携帯端末４０以外の端末においてもスキャン画像の保存を許可するようにしてもよい。図２０は、携帯端末４０が仮画像を表示する画面であって、自端末以外の端末でもスキャン画像の保存を許可するか否かを選択することができるプレビュー画面１３７を示す。図２０では、購入代金の他に、追加料金を支払って携帯端末４０以外の他の端末でもスキャン画像を保存可能にするか否かを選択することができる。
【０１２８】
図２１は、管理サーバ７０が、携帯端末４０と、携帯端末４０以外の端末１４０にスキャン画像の保存を許可する様子を示す。管理サーバ７０は、携帯端末４０以外の端末１４０にスキャン画像を送信する場合、端末１４０から画面の表示に係る能力を取得し、ＲＡＷ形式のスキャン画像を、取得した能力に基づいて最適な形式および解像度のファイルに変換して送信する。これにより、携帯端末４０以外の他の端末であっても、最適な形式および解像度のスキャン画像が送信される。
【０１２９】
次に、画像読取装置１０、携帯端末４０、および管理サーバ７０のそれぞれが行う処理について、図２２〜図２８を参照しつつ説明する。まず、スキャンＩＤを発行した後、スキャンによって得たスキャン画像を保存するまでの処理について、図２２〜図２５を参照しつつ説明する。
【０１３０】
図２２は、携帯端末４０がスキャンＩＤの発行要求を管理サーバ７０に送信する処理を示す。まず、スキャンＩＤの発行要求を、自端末での画面の表示に係る能力とともに管理サーバ７０に送信する（ステップＳ０２１）。その後、管理サーバ７０からスキャンＩＤを受信するのを待って（ステップＳ０２２；Ｎｏ）、スキャンＩＤを受信したら（ステップＳ０２２；Ｙｅｓ）、その受信したスキャンＩＤを表示し（ステップＳ０２３）、本処理を終了する。
【０１３１】
図２３は、スキャンＩＤの発行要求を受けた管理サーバ７０が行う処理を示す。携帯端末４０からスキャンＩＤの発行要求を受けるまで待って（ステップＳ０１１；Ｎｏ）、スキャンＩＤの発行要求を受けたら（ステップＳ０１１；Ｙｅｓ）、新たなスキャンＩＤを発行するとともに、該スキャンＩＤと、携帯端末４０の画面の表示に係る能力と、スキャン画像の保存場所を紐付けて能力管理テーブル１１０に登録する（ステップＳ０１２）、その後、その新たに発行したスキャンＩＤを携帯端末４０に通知し（ステップＳ０１３）、本処理を終了する。
【０１３２】
図２４は、画像読取装置１０が行う処理を示す。まず、携帯端末４０はスキャンＩＤの入力をユーザから受けたら（ステップＳ００１）、そのスキャンＩＤを管理サーバ７０に通知し、管理サーバ７０から該スキャンＩＤに対応する読み取り条件（読み取り指示）を取得する（ステップＳ００２）。
【０１３３】
その後、スキャンの開始操作をユーザから受けたら、ステップＳ００２で取得した読み取り条件にて原稿をスキャンし、スキャン画像を得る（ステップＳ００３）。その後、該スキャン画像を、ステップＳ００１にて入力されたスキャンＩＤに紐付けて管理サーバ７０に送信し（ステップＳ００４）、本処理を終了する。
【０１３４】
図２５は、図２４のステップＳ００２にて画像読取装置１０から通知されたスキャンＩＤを受けた管理サーバ７０が行う処理を示す。まず、画像読取装置１０からスキャンＩＤの通知を受けたら、そのスキャンＩＤに対応する読み取り条件を画像読取装置１０に送信する（ステップＳ１１１）。
【０１３５】
次に、画像読取装置１０からスキャン画像を受信したら、その受信したスキャン画像を、該スキャン画像に紐付いたスキャンＩＤに対応付けされている保存場所に保存する（ステップＳ１１２）。そして、スキャン画像を保存した旨を携帯端末４０に通知し（ステップＳ１１３）、本処理を終了する。
【０１３６】
次に、閲覧要求を受けてから、携帯端末４０にスキャン画像の保存を許可するまでの処理について、図２６〜図２８を参照しつつ説明する。
【０１３７】
図２６は、携帯端末４０から閲覧要求を受けた管理サーバ７０が行う処理を示す。まず、携帯端末４０から受信したら、その閲覧要求に含まれているスキャンＩＤに対応するスキャン画像に基づいて仮画像を生成し（ステップＳ２１１）、携帯端末４０に送信する（ステップＳ２１２）。
【０１３８】
携帯端末４０から、スキャン画像を購入する応答を受けたら（ステップＳ２１３）、決済を行う。決済が完了するまで待って（ステップＳ２１４；Ｎｏ）、決済が完了したら（ステップＳ２１４；Ｙｅｓ）。携帯端末４０にてスキャン画像を保存可能（ダウンロード可能）な状態にして（ステップＳ２１５）、本処理を終了する。
【０１３９】
図２７は、携帯端末４０にて閲覧要求を送信してから、購入するスキャン画像の選択を受けるまでの処理を示す。まず、管理サーバ７０から、スキャン画像を保存した通知を受信した後、スキャンＩＤを含む閲覧要求を管理サーバ７０に送信する（ステップＳ１２１）。
【０１４０】
管理サーバ７０から仮画像を受信したら、その仮画像を表示し（ステップＳ１２２）、購入するスキャン画像に対応する仮画像の選択をユーザから受けたら（ステップＳ１２３）本処理を終了する。
【０１４１】
図２８は、図２７のステップＳ１２３の後で、決済を行う場合に携帯端末４０が行う処理を示す。まず、ステップＳ１２３にて選択された仮画像に対応するスキャン画像が、ユーザが購入を希望するもので間違いが無いかの確認を行う（ステップＳ２２１）。決定の操作を受けるまで待って（ステップＳ２２２；Ｎｏ）、決定の操作を受けたら（ステップＳ２２２；Ｙｅｓ）、決済を行うための画面を表示する（ステップＳ２２３）。
【０１４２】
決済の決定操作を受けるまで待って（ステップＳ２２４；Ｎｏ）、決済の決定操作を受けたら（ステップＳ２２４；Ｙｅｓ）、サーバに決済実行指示を送信する（ステップＳ２２５）。決済を完了した管理サーバ７０からスキャン画像の保存を許可する通知を受けたら、管理サーバ７０からスキャン画像を取得して（ステップＳ２２６）、保存し（ステップＳ２２７）、本処理を終了する。
【０１４３】
なお、携帯端末４０は、管理サーバ７０から通知されたＵＲＬ（Uniform Resource Locator）にアクセスすることでスキャン画像を取得する。また、スキャン画像を取得したら、ユーザから、該スキャン画像の自端末内での保存場所の選択を受ける。
【０１４４】
なお、図２８のステップＳ２２５は、管理サーバ７０の決済部７７が料金を徴収する支払い方法が選択された場合の処理である。電子マネーで決済を行う場合は、前述したように決済の完了時に画像読取装置１０が、管理サーバ７０に決済が完了した旨を通知する。
【０１４５】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１４６】
本発明の実施の形態では、携帯端末４０を例に説明したが、端末はこれに限らない。たとえば、ＰＣ端末などのような据え置き型の端末であってもよい。
【０１４７】
本発明の実施の形態では、管理サーバ７０は、スキャン画像の閲覧要求に応じて、該スキャン画像に基づいて生成した仮画像を携帯端末４０に送信していたが、閲覧要求を受信した場合に、スキャン画像自体を送信して、単に表示だけを行わせてもよい。ここでは、携帯端末４０の内部のワークエリアに本物のスキャン画像を保存しているが、ユーザは保存できず、見るだけの状態にしておく。そして、決済されたら、保存のダイアログを開き、ユーザの指定する場所にスキャン画像のデータを移動させる。決済されない場合はワークエリアから削除する。この方法を採用した場合は、決済後に改めてスキャン画像をダウンロードする手間が省略される。
【０１４８】
本発明の実施の形態では、画像読取装置１０は、複数の読み取り条件で原稿をスキャンしていたが、一の読み取り条件で原稿をスキャンしてもよい。また、複数の読み取り条件は、実施の形態で説明した読み取り条件に限らない。
【０１４９】
本発明の実施の形態では、管理サーバ７０は、携帯端末４０の能力に応じた解像度、およびファイル形式のスキャン画像を、画像読取装置１０から入手していたが、画像読取装置１０から取得したＲＡＷ形式のファイルに基づいて、管理サーバ７０が、携帯端末４０の能力に応じた解像度、およびファイル形式のスキャン画像を作成するようにしてもよい。
【０１５０】
仮画像を生成するときに重畳される第２の画像は、実施の形態で説明したものに限らない。
【０１５１】
本発明の実施の形態では、画像読取装置１０と管理サーバ７０は別個の装置であったが、画像読取装置１０が管理サーバ７０を含んで構成されていてもよい。
【符号の説明】
【０１５２】
３…ＬＡＮ
７…画像管理システム
１０（１０Ａ、１０Ｂ）…画像読取装置
１１…ＣＰＵ
１２…ＲＯＭ
１３…ＲＡＭ
１４…不揮発メモリ
１５…ハードディスク装置
１６…画像処理部
１７…画像読取部
１８…プリンタ部
１９…ファクシミリ通信部
２０…ネットワーク通信部
３０…操作パネル
３１…表示部
３２…操作部
３３…スイッチ部
３４…タッチパネル部
３５…決済用センサ
４０…携帯端末
４１…ＣＰＵ
４２…ＲＯＭ
４３…ＲＡＭ
４４…不揮発メモリ
４５…ハードディスク装置
４６…ネットワーク通信部
４７…決済用センサ
５０…操作表示部
５１…表示部
５２…操作部
５３…スイッチ部
５４…タッチパネル部
７０…管理サーバ
７１…ＣＰＵ
７２…ＲＯＭ
７３…ＲＡＭ
７４…不揮発メモリ
７５…ハードディスク装置
７６…ネットワーク通信部
７７…決済部
８１…保存部
８２…表示制御部
８３…許可部
８４…決済部
８５…読取指示部
８６…取得部
９１…ＩＤ発行ボタン
９２…確認ボタン
９３…購入ボタン
９４…キャンセルボタン
１００…ＩＤ発行要求画面
１０１…ＩＤ発行済画面
１１０…能力管理テーブル
１２０…ＩＤ入力画面
１３０…プレビュー画面
１３１…プレビュー画面
１３２…プレビュー画面
１３３…プレビュー画面
１３４…購入画面
１３５…決済完了画面
１３６…決済方法提示画面
１３７…プレビュー画面
１４０…端末
１５０…スキャン画像
１５１…仮画像
【図１】
0006503965.tif 000002
【図２】
0006503965.tif 000003
【図３】
0006503965.tif 000004
【図４】
0006503965.tif 000005
【図５】
0006503965.tif 000006
【図６】
0006503965.tif 000007
【図７】
0006503965.tif 000008
【図８】
0006503965.tif 000009
【図９】
0006503965.tif 000010
【図１０】
0006503965.tif 000011
【図１１】
0006503965.tif 000012
【図１２】
0006503965.tif 000013
【図１３】
0006503965.tif 000014
【図１４】
0006503965.tif 000015
【図１５】
0006503965.tif 000016
【図１６】
0006503965.tif 000017
【図１７】
0006503965.tif 000018
【図１８】
0006503965.tif 000019
【図１９】
0006503965.tif 000020
【図２０】
0006503965.tif 000021
【図２１】
0006503965.tif 000022
【図２２】
0006503965.tif 000023
【図２３】
0006503965.tif 000024
【図２４】
0006503965.tif 000025
【図２５】
0006503965.tif 000026
【図２６】
0006503965.tif 000027
【図２７】
0006503965.tif 000028
【図２８】
0006503965.tif 000029